(57)【要約】  【課題】端子台における外部配線の接続の際、ネジに外部配線を絡めたり取り外したりすることなく、容易に電気的な接続を可能にする。  【解決手段】ネジ締結部３２と内部接続部３３と端子接触部３５でターミナル３は形成され、内部接続部３３は絶縁台２の端子穴２１に挿入される。絶縁台２には外部配線に接続された検査接続用端子５が挿入され端子接触部３５と接触するための外部接触用凹部２３が形成され、接続用凹部２３に検査接続用端子５を挿入するだけで外部配線と内部配線との電気的な接続が行われる。【選択図】  図４
2006309992.tif 000002
【特許請求の範囲】
【請求項１】
内部配線と外部配線とを電気的に接続する端子台（１）であって、ネジ穴（３
１）を有するネジ締結部（３２）と内部配線に接続する内部接続部（３３）とで
形成されたターミナル（３）と、ターミナル（３）のネジ穴（３１）に締結し外
部配線を接続するネジ（４）と、ターミナル（３）を固定する絶縁台（２）とか
らなる端子台（１）において、ターミナルには通電検査用の検査接続端子（５）
と接触するための端子接触部（３５）を有し、絶縁台（２）には検査接続用端子
（５）と端子接触部（３５）とが接触するための外部接続用凹部（２３）が形成
されていることを特徴とする端子台。
【請求項２】
ターミナル（３）は、ネジ締結部（３２）とネジ締結部（３２）の両側で曲げ
られた内部接続部（３３），（３３）とで、コの字となる対称形状に形成され、
内部接触部（３３）に端子接触部（３５）が形成されており、絶縁台には少なく
とも一つの外部接続用凹部（２３）が形成されていることを特徴とする請求項１
記載の端子台。
【請求項３】
ターミナル（３）は、ネジ締結部（３２）とネジ締結部（３２）の片側で曲げ
られた内部接続部（３３）とで、Ｌの字形状に形成され、内部接触部（３３）に
は端子接触部（３５）が形成されていることを特徴とする請求項１記載の端子台
。
【発明の詳細な説明】
【技術分野】
【０００１】
本発明は、エアコンなどの電気機器の電源接続部に取り付けられる端子台に関
するもので、電気機器の通電検査などの際、容易な接続が可能である端子台に関
するものである。
【背景技術】
【０００２】
従来の端子台には実開平３−１２４４８２の実施例に記載されているような、
図１０、図１１に示すようなものが知られている。すなわち、絶縁台２００に形
成された端子穴２０１，２０１にターミナル３００の内部接続部３０２，３０２
を挿入し貫通させ、内部側平面６００からターミナル３００の内部接続部３０２
，３０２を露出させる。
【０００３】
ターミナル３００はネジ４００をネジ締結するためのネジ穴を有するネジ締結
部３０１とネジ締結部３０１の両側でコの字に曲がる内部接続部３０２，３０２
とで形成され、内部接続部３０２，３０２には絶縁台２００の端子穴２０１，２
０１に形成されたターミナル３００の抜け防止用の係止凹部２０２，２０２と係
合する係止凸片３０３，３０３が形成されており、ターミナル３００の内部接続
部３０２，３０２が一定位置まで挿入されたところで絶縁台２００の係止凹部２
０２，２０２とターミナル３００の係止凸片３０３，３０３とが係合しターミナ
ル３００が固定される。
【０００４】
そして図１２に示すように、絶縁台２００を貫通し露出された内部接続部３０
２，３０２には電気機器５００の内部配線からのコネクタ５０１などが接続され
、ターミナル３００のネジ締結部３０１には電気機器に電力を供給するための外
部配線が絡められたネジ４００が締結される。これによって電気機器５００の内
部配線と外部配線が電気的に接続される。
【特許文献１】実開平３−１２４４８２（実施例）
【発明の開示】
【発明が解決しようとする課題】
【０００５】
しかしながら、図１０〜図１２に示した従来例では電気機器に電力を供給する
通常の使用状態では特に問題ないが、大量の電気機器が生産される過程で行われ
る通電検査等においては、電気機器に電力を供給する外部配線を接続したり、取
り外したりするために、その都度ネジを付けたり取ったりして外部配線を接続し
たり、取り外したりしなければならず、電気機器の生産性を低くするという問題
点があった。
【０００６】
本発明は、上述の問題点を鑑みなされたもので、通電検査時に端子台に外部配
線を接続する際に、端子台のネジを取ったり付けたりすることなく電気的な接属
が可能であり、接続に費やす工数を大幅に削減できる端子台を供給することを目
的とするものである。
【課題を解決するための手段】
【０００７】
上記目的を達成するため、請求項１に係る発明は、内部配線と外部配線とを電
気的に接続する端子台１であって、ネジ穴３１を有するネジ締結部３２と内部配
線に接続する内部接続部３３とで形成されたターミナル３と、ターミナル３のネ
ジ穴３１に締結し外部配線を接続するネジ４と、ターミナル３を固定する絶縁台
２とからなる端子台１において、ターミナルには通電検査用の検査接続端子５と
接触するための端子接触部３５を有し、絶縁台２には検査接続端子５と端子接触
部３５とが接触するための外部接続用凹部２３が形成されていることを特徴とす
るものである。
【０００８】
請求項２に係る発明は、請求項１の端子台１において、ターミナル３は、ネジ
締結部３２とネジ締結部３２の両側で曲げられた内部接続部３３，３３とで、コ
の字となる対称形状に形成され、少なくとも一つの内部接触部３３に端子接触部
３５が形成されており、絶縁台には少なくとも一つの外部接続用凹部２３が形成
されていることを特徴とするものである。
【０００９】
請求項３に係る発明は、請求項１の端子台１において、ターミナル３は、ネジ
締結部３２とネジ締結部３２の片側で曲げられた内部接続部３３とで、Ｌの字形
状に形成され、内部接触部３３には端子接触部３５が形成されていることを特徴
とするものである。
【発明の効果】
【００１０】
本発明によれば、以下のような効果がある。検査接続用端子を端子台に形成さ
れた外部接続用凹部に挿入するだけで、容易に外部配線と内部配線を電気的に接
続することができる。そして、ターミナルをコの字にして対称形状とすることに
より組立て時の方向性を無くすことができ、絶縁台への固定の際、組み込み方向
を考慮する必要がなくなり、容易にターミナルを絶縁台に組み込むことができる
。また、二つの内部接続部を有することにより内部配線との安定した電気的な接
続を行うことができ、さらには二つの外部接続用凹部を設けた場合には、外部配
線との接続においても安定した電気的な接続を行うことができる。そして、ター
ミナルをＬ字にした場合には、端子台を小型化することもできる。また、ターミ
ナルが端子接触部を有しているため端子接触部を形成する新たな部品が必要なく
従来の端子台の部品構成で本発明の効果が得られる。
【発明を実施するための最良の形態】
【００１１】
以下、本発明の一実施形態例を図面を参照して詳細に説明する。図１乃至図９
は、本発明の端子台の一実施例の形態を示したものであり、図１は本発明に係る
端子台の平面図、図２は図１Ａ−Ａ箇所における一部断面図、図３は検査接続用
端子の側面図、図４は本発明に係る端子台を電気機器に取り付け検査接続用端子
を接続した状態での図１Ａ−Ａ箇所における一部断面図、図５は本発明に係る端
子台の通常の電気機器使用状態での図１Ａ−Ａ箇所におけるる一部断面図、図６
は絶縁台の平面図、図７は図６のＢ−Ｂ断面図、図８はターミナル図、図９はネ
ジの側面図である。
【００１２】
端子台１は図１，図２に示すように、絶縁台２、ターミナル３、ネジ４からな
る。また、本実施例は複数のターミナル３，ネジ４が絶縁台２に組み込まれ複数
の接続部を有するものである。
【００１３】
絶縁台２は絶縁材料からなり、図４および図６，図７に示すように、電気機器
６に取り付けた際、電気機器６の内部側６１に向く内部側平面２５と電気機器６
の外部側６２に向く外部側平面２６の二つの平面を有し、ターミナル３の内部接
続部３３，３３の挿入および貫通が可能な内部接続部３３，３３の断面と略同形
状の長方形の断面をもつ端子穴２１，２１が平行に二つ形成され、二つの端子穴
２１，２１の間にはネジ４のネジ部４１を収容可能なネジ逃げ凹部２２が外部側
平面２６側より形成される。また、端子穴２１，２１は穴の途中から内部側平面
２５方向に一部が切り欠かれた係止凹部２７，２７が形成されており、端子穴２
２１の少なくとも一つには、端子穴２１の側面に外部側平面２６から外部接続用
凹部２３が形成されている。また絶縁台２は電気機器６に取り付けるための穴を
有した取り付け部２４，２４を具備している。
【００１４】
ターミナル３は図８に示すように、略長方形の導電性の平板のほぼ中央にネジ
４を締結するためのネジ穴３１を有するネジ締結部３２と、その両側で長方形の
長手方向でコの字に折り曲げられた内部接続部３３，３３とで形成され、内部接
続部３３には検査接続用端子５が接触する端子接触部３５を有する。また、両側
の内部接続部３３，３３には、内側に曲げられた弾性のある係止凸片３４が形成
されている。
【００１５】
ネジ４は図９に示すように、ワッシャー４２を装着したものであり、ターミナ
ル３のネジ穴３１に締結可能なものである。
【００１６】
次に端子台１の組立てについて、以下に説明する。最初に絶縁台２に形成され
た端子穴２１，２１にターミナル３の内部接続部３３，３３を挿入する。内部接
続部３３，３３には弾性のある係止凸片３４，３４が形成されているため、係止
凸片３４，３４を弾性変形させた状態で挿入し、ターミナル３のネジ締結部３２
が絶縁台２に接したところで係止凸片３４，３４が絶縁台２の係止凹部２７，２
７に係合し、ターミナル３が絶縁台２より抜け出ない状態となり固定される。こ
の際、ターミナル３の内部接続部３３，３３は絶縁台２を貫通し、絶縁台２の内
部側平面２５より露出した状態となる。
【００１７】
この状態において絶縁台２の一つの端子穴２１の側面にはＵ字形の断面形状を
もつ接続用凹部２３が形成されているため、接続用凹部２３の側面の一部からは
、端子穴２１に挿入されたターミナル３の端子接触部３５が露出した状態となる
。
【００１８】
そしてネジ穴３１にネジ４を締結する。ネジ穴３１より突出したネジ部４１は
絶縁台２に形成されたネジ逃げ凹部２２に収容される。
【００１９】
このようにして組立てられた端子台１は、電気機器６に絶縁台２の取り付け部
２４をネジ止めするなどして取り付けられ、図４に示すように、電気機器６の内
部側６１においては主に電力供給のための内部配線が結線されたコネクタ６３な
どが端子台１の内部接続部に接続される。
【００２０】
そして大量の電気機器６が生産される通電検査工程のように、電気機器６に簡
易的に電力を供給しなければならない場合においては、図３に示すような外部電
源からの外部配線が結線され先端部が断面形状を広げようとする方向に弾性をも
つ検査接続用端子５を端子台１の接続用凹部２３に挿入する。
【００２１】
これにより図４に示すように、挿入された検査接続用端子５は先端部が断面形
状を広げる方向に弾性をもっているために外部接続用凹部２３に露出された端子
接触部３５にて接触し、電気的な接続状態となる。つまり、検査接続用端子５を
端子台１の外部接続用凹部２３に挿入するだけの簡単な方法で外部電源からの外
部配線と電気機器６の内部配線とを電気的に接続することができ、電気機器６に
電力を供給することができる。そして、検査接続用端子５を接続用凹部２３から
抜くだけの簡単な方法で電気機器６への電力の供給を停止することができる。
【００２２】
また、通常の電気機器６の使用状態においては図５に示すように、端子台１の
ネジ４に外部電源からの外部配線を絡みつけ、端子台１のネジ穴３１に締結する
ことにより外部配線と内部配線との電気的な接続を行い、電気機器６に電力を供
給することができる。
【００２３】
また、本発明は上記実施の形態に限定されるものではなく、本発明の範囲内で
種々の変形が考えられる。例えば外部接続用凹部２３の断面形状は、Ｕ字形状で
あるが、必ずしもこの形状に限定するものではなく四角形およびその他の多角形
、または円の一部が切り取られたＤ字形状など検査接続用端子５を挿入した際、
露出した端子接触部３５と接触可能となる形状であればよい。そして接続用凹部
２３は必ずしも凹形状である必要はなく、貫通してもよい。
【図面の簡単な説明】
【００２４】
【図１】本発明に係る端子台の平面図
【図２】図１Ａ−Ａ箇所における一部断面図
【図３】検査接続用端子の側面図
【図４】本発明に係る端子台を電気機器に取り付け、検査接続用端子を接続した状態での図１Ａ−Ａ箇所における一部断面図
【図５】本発明に係る端子台の通常の電気機器使用状態での図１Ａ−Ａ箇所における一部断面図
【図６】絶縁台の平面図
【図７】図６のＢ−Ｂ断面図
【図８】ターミナル図  （ａ）平面図    （ｂ）側面図
【図９】ネジの側面図
【図１０】従来の端子台の平面図
【図１１】図１０のＣ−Ｃ断面図
【図１２】従来の端子台の接続状態での図１０Ｃ−Ｃ箇所における断面図
【符号の説明】
【００２５】
１  端子台
２  絶縁台
３  ターミナル
４  ネジ
５  検査接続用端子
６  電気機器
２１  端子穴
２２  ネジ逃げ凹部
２３  外部接続用凹部
２４  取り付け部
２５  内部側平面
２６  外部側平面
２７  係止凹部
３１  ネジ穴
３２  ネジ締結部
３３  内部接続部
３４  係止凸片
３５  端子接触部
４１  ネジ部
４２  ワッシャー
６１  内部側
６２  外部側
６３  コネクタ
１００  端子台
２００  絶縁台
２０１  端子貫通穴
２０２  係止凹部
３００  ターミナル
３０１  ネジ締結部
３０２  内部接続部
３０３  係止凸片
４００  ネジ
５００  電気機器
５０１  コネクタ
６００  内部側平面
７００  外部側平面
【図１】
2006309992.tif 000003
【図２】
2006309992.tif 000004
【図３】
2006309992.tif 000005
【図４】
2006309992.tif 000006
【図５】
2006309992.tif 000007
【図６】
2006309992.tif 000008
【図７】
2006309992.tif 000009
【図８】
2006309992.tif 000010
【図９】
2006309992.tif 000011
【図１０】
2006309992.tif 000012
【図１１】
2006309992.tif 000013
【図１２】
2006309992.tif 000014